(57)【要約】      （修正有）【課題】壁に掛けた時も周囲の内装、家具などの全体的デザインとして融合し、美観が増すだけでなく、薄型ディスプレイが外力によって容易に損壊されることからも保護できる収納ラックの提供。【解決手段】薄型ディスプレイを隠蔽するデザインラックにおいて、台座、適当な薄型ディスプレイを載置するブラケット、及び、台座をカバーでき、これにより台座、及び、台座に装設したブラケット、及び、その薄型ディスプレイを保護する外側保護カバーで構成され、該台座に第一、第二スライダを設けることで外側保護カバー、及び、ブラケットがそれぞれ対応するスライドレールを介して一体となって結合し、台座内部に適当な伝動部品、牽引押進部品を設けて外側保護カバー、及び、内枠を第一、第二スライダ上において昇降の運動を行わせる。【選択図】図２
0003120298.tif 000002
【実用新案登録請求の範囲】
【請求項１】
薄型ディスプレイを隠蔽するデザインラックにおいて、
枠体、少なくとも２本の構造用角形鋼管、軸受筒、複数個のスライダ、複数個のロープ車ホルダー、複数個のロープ車、及び、複数個の押進部品で構成され、該枠体の両側に並列対応した第一スライダを設けることで、外側保護カバーのスライドレールが相互結合することに供され、該構造用角形鋼管がそれぞれ該枠体の中央の適当な位置にふ設され、その両側に並列対応した第二スライダをふ設して内枠を仕切り、ブラケットのスライドレールと該第二スライダを相互結合させると共に位置決めに提供され、該ロープ車ホルダーを枠体上の適当な位置に設け、その上に横向き或いは縦向きで導引するロープ車を装設し、該軸受筒は、該枠体の適当な位置に設け、その内部に適当な伝動機構を設けて、ブラケット、及び、外側保護カバーに接続する押進部品を制御することで、外側保護カバー、及び、内枠を第一、第二スライダ上において昇降、或いは、押出運動を行う台座と、
適当な薄型ディスプレイを載置するため、その底面の台座第二スライダに相対する位置にそれぞれ並列対応したスライドレールを設けたブラケットと、
台座をカバーできる蓋体とすることで、台座、及び、台座上に装設するブラケット、及び、その薄型ディスプレイを保護し、その両側の側面パネルには台座の第一スライダ内に挿入できるスライドレールを設け、その上縁面は適当な芸術品を飾ることができる外側保護カバーを含むことを特徴とする、薄型ディスプレイを隠蔽するデザインラック。
【請求項２】
請求項１記載の薄型ディスプレイを隠蔽するデザインラックにおいて、その台座の枠体が凹型を呈することを特徴とする、薄型ディスプレイを隠蔽するデザインラック。
【請求項３】
請求項１或いは請求項２記載の薄型ディスプレイを隠蔽するデザインラックにおいて、その枠体は、左右両外枠で構成することができることを特徴とする、薄型ディスプレイを隠蔽するデザインラック。
【請求項４】
請求項１、２、或いは、３記載の薄型ディスプレイを隠蔽するデザインラックにおいて、その枠体上に螺着、或いは、吊下式で枠体を壁面上に固定するため、複数個のネジ孔を設けることを特徴とする、薄型ディスプレイを隠蔽するデザインラック。
【請求項５】
請求項１記載の薄型ディスプレイを隠蔽するデザインラックにおいて、その押進部品は、ワイヤ、チェーン、ベルト、或いは、ロープのいずれかであることを特徴とする、薄型ディスプレイを隠蔽するデザインラック。
【請求項６】
請求項１記載の薄型ディスプレイを隠蔽するデザインラックにおいて、その伝動構造は、適当な伝動部品、複数個の軸受、モータ、及び、数個の適当な固定手段から構成されることを特徴とする、薄型ディスプレイを隠蔽するデザインラック。
【請求項７】
請求項６記載の薄型ディスプレイを隠蔽するデザインラックにおいて、その固定手段がボルト、ピン、或いは、ナットのいずれかであることを特徴とする、薄型ディスプレイを隠蔽するデザインラック。
【請求項８】
請求項６記載の薄型ディスプレイを隠蔽するデザインラックにおいて、その伝動部品は、軸棒、ワイヤ、チェーン、ベルト、或いは、ロープのいずれかであることを特徴とする、薄型ディスプレイを隠蔽するデザインラック。
【請求項９】
請求項６或いは８記載の薄型ディスプレイを隠蔽するデザインラックにおいて、その伝動部品は、押進部品のホルダーを設けることを特徴とする、薄型ディスプレイを隠蔽するデザインラック。
【請求項１０】
請求項１記載の薄型ディスプレイを隠蔽するデザインラックにおいて、その外側保護カバーは、門型を呈することを特徴とする、薄型ディスプレイを隠蔽するデザインラック。
【請求項１１】
請求項１或いは１０記載の薄型ディスプレイを隠蔽するデザインラックにおいて、該外側保護カバーの側面パネルは、数段の折畳点を設けることを特徴とする、薄型ディスプレイを隠蔽するデザインラック。
【請求項１２】
請求項１１記載の薄型ディスプレイを隠蔽するデザインラックにおいて、その折畳点は、ヒンジ装置を設けることを特徴とする、薄型ディスプレイを隠蔽するデザインラック。
【請求項１３】
請求項１記載の薄型ディスプレイを隠蔽するデザインラックにおいて、その外側保護カバーの上縁内は、内部に略凹陥することを特徴とする、薄型ディスプレイを隠蔽するデザインラック。
【請求項１４】
請求項１３記載の薄型ディスプレイを隠蔽するデザインラックにおいて、その上縁面は、埋め込み、或いは、係合方法で適当な芸術品を嵌め込むことができることを特徴とする、薄型ディスプレイを隠蔽するデザインラック。
【請求項１５】
請求項１記載の薄型ディスプレイを隠蔽するデザインラックにおいて、その外側保護カバーの上縁面の面縁、或いは、周縁に吊りフックを設けることを特徴とする、薄型ディスプレイを隠蔽するデザインラック。
【請求項１６】
請求項１記載の薄型ディスプレイを隠蔽するデザインラックにおいて、その薄型ディスプレイは、プラズマテレビ、フラットテレビ、或いは、液晶ディスプレイのいずれかにできることを特徴とする、薄型ディスプレイを隠蔽するデザインラック。
【考案の詳細な説明】
【技術分野】
【０００１】
本考案は、薄型ディスプレイを隠蔽するデザインラックに関り、特に薄型ディスプレイをその中に隠蔽收納することができ、起動時に薄型ディスプレイを押出し、且つその外側保護カバーの上縁面に絵画などの適当な芸術品を飾ることができることで、該収納ラックを壁上に掛けた時に周囲の内装、家具などの全体的デザインと融合させることで、美観が増すだけでなく、薄型ディスプレイが外力によって損壊されることからも保護できる薄型ディスプレイを隠蔽するデザインラックに関る。
【背景技術】
【０００２】
従来の薄型ディスプレイ、例えばプラズマテレビ、フラットテレビ或いは液晶ディスプレイなどは、一般的に架台上に設置或いは壁面上に直接埋め込み或いは壁掛式の支持枠で掛けているが、いずれの設置方法を採ったとしても、そのスクリーンは均しく外部空間に露出するため、任意の遮蔽保護がない場合、非常に容易に外力からの要因によって損壊を受け、且つ環境や天候の影響を受け易く、例えば湿気、静電気の影響を受けるという多くの問題によってその使用寿命が低下するため、高価で精密な電子設備製品に対して良好な保護措置が採られていない盲点には、改善の必要があり、さらに大型の薄型ディスプレイが壁面上に掛けられたとしても、周囲の内装、家具などの全体的デザインと融合し難いため、視覚的にも容易に孤立感が生じてしまい、大変惜しまれる。
【考案の開示】
【考案が解決しようとする課題】
【０００３】
前記の従来技術の欠点に鑑み、本考案の主要な目的は、薄型ディスプレイをその中に隠蔽收納でき、起動時に薄型ディスプレイを押出し、薄型ディスプレイが外力に遭っても損壊し難いよう保護する薄型ディスプレイを隠蔽するデザインラックを提供することにある。
【０００４】
本考案の別の目的は、収納ラックの外側保護カバーの上縁面において、絵画などの適当な芸術品を飾ることができ、該収納ラックを壁上に掛けた時に周囲の内装、家具などの全体的デザインと融合させることするで、美観及び快適性が増す薄型ディスプレイを隠蔽するデザインラックを提供することにある。
【課題を解決するための手段】
【０００５】
前記の目的を達成するため、本考案は、下記の技術手段を採って達成するものとし、本考案の薄型ディスプレイを隠蔽するデザインラックは、枠体、少なくとも２本の構造用角形鋼管、軸受筒、複数個のスライダ、複数個のロープ車ホルダー、複数個のロープ車及び複数個のワイヤ、チェーン、ベルト或いはロープのいずれかの押進部品で構成される台座を含む。
【０００６】
該枠体の両側に並列対応した第一スライダを設けることで、外側保護カバーのスライドレールが相互結合することに供され、該構造用角形鋼管がそれぞれ該枠体の中央の適当な位置にふ設され、その両側に並列対応した第二スライダをふ設して内枠を仕切り、ブラケットのスライドレールと該第二スライダを相互結合させると共に位置きめに提供され、枠体上に複数個のネジ孔を設けて、螺着或いは吊下式で枠体を壁面上に固定することに提供できる。
【０００７】
該ロープ車ホルダーを枠体上の適当な位置に設け、その上に横向き或いは縦向きで導引するロープ車を装設する。
【０００８】
該軸受筒は、枠体の適当な位置に設け、その内部に軸棒、ワイヤ、チェーン、ベルト或いはロープのいずれかの構造で構成された伝動部品、複数個の軸受、モータ及び各種適当な固定部品で構成された伝動構造を設けし、ブラケット及び外側保護カバーに接続する押進部品を制御することで、外側保護カバー及び内枠を第一、第二スライダ上で昇降或いは押出の運動を押進し、該第一、第二スライダ内に鋼球を設置することで、外側保護カバー及び内枠がその上で昇降運動を行う際更にスムーズさせる。
【０００９】
ブラケットに適当な薄型ディスプレイを載置するため、その底面の台座第二スライダに相対する位置にそれぞれ並列対応したスライドレールを設ける。
【００１０】
外側保護カバーは、台座をカバーできる蓋体とすることで、台座及び台座上に装設するブラケット及びその薄型ディスプレイを保護し、その両側の側面パネルには台座の第一スライダ内に挿入できるスライドレールを設け、その上縁面は適当な芸術品を飾ることができ、該外側保護カバーの側面パネルは折畳できる構造であるため、收納或いは運搬時にその体積を折り畳んで圧縮することができ、外側保護カバーの上縁面を内部に略凹陥させて、直接埋め込み或いは係合などの適当な方法で適当な芸術品を嵌めこむことができ、その他本考案の別の実施例内において、該外側保護カバーの上縁面はその面縁或いは周縁に吊りフックを設置することで、適当な芸術品を装飾として掛けておくことができ、該収納ラックを壁上に掛けた時に周囲の内装、家具などの全体的デザインと融合させることするで、美観及び快適性の目的を実現する。
【００１１】
前記の組合せにより、薄型ディスプレイをその中に隠蔽收納できることで、その外観における視覚は、壁掛け芸術品装飾であり、テレビを観賞したい時、薄型ディスプレイを載置するブラケットは、伝動機構の牽引制御を受けて既設された方向に押出され、本考案の数個の好ましい実施方法において、本考案が起動した後、該薄型ディスプレイを載置したブラケットが下に向かって押出すことで、薄型ディスプレイを収納ラック外に押出し、該外側保護カバーは同時に伝動機構の牽引控制を受けて上に上昇することで、上下開閉動作を行うことができ、收納したい時に更に薄型ディスプレイを載置したブラケット及び上部保護カバーを所定位置に復帰し、該外側保護カバー及びブラケットは、それぞれ台座に設けた第一、第二スライダ内と結合し、伝動構造の導引及び押進部品の牽引を受けて、多くの実施可能な押出及び收納動作を達することができる。
【実施例】
【００１２】
下記、図を組み合わせて本考案の好ましい実施例方法及び動作原理を更に一歩進んだ説明を行った後、更に明確にする。
図１及び図２を見ると、本考案の立体分解図及び組合図で、図内に示すように、該薄型ディスプレイを隠蔽できるデザインラック１は、主に台座２、左右の両外枠(枠体)２１、少なくとも２本の構造用角形鋼管２２、軸受筒２３、複数個の第一スライダ２４及び第二スライダ２５、複数個のロープ車ホルダー２６、複数個のロープ車２７及び複数個のワイヤ２８の押進部品（チェーン、ベルト或いはロープのいずれかの押進部品を採用できる）で構成される台座が構成する。
【００１３】
該外枠(枠体)２１の両側に並列対応した第一スライダ２４を設けることで、外側保護カバー４の第一スライドレール４３と相互結合し、該構造用角形鋼管２２がそれぞれ該外枠(枠体)２１の中央の適当な位置にふ設され、内枠を仕切るためその両側に並列対応した第二スライダ２５を設けることで、ブラケット３の第二スライドレール３１と該第二スライダ２５を相互結合すること共に位置きめ、第一、第二スライドレール４２、３１が結合した後スムーズにスライダ上で運動させるため、該第一、第二スライダ２４、２５内に鋼球２４１、２５１を設け、該外枠(枠体)２１は、複数個のネジ孔２１１を設けることで、螺着或いは吊下式で壁面上に固定するために供することができる。
【００１４】
該ロープ車ホルダー２６を外枠（枠体）２１上の適当な位置に設け、その上に横向き或いは縦向きで導引するロープ車２７を装設する。
【００１５】
該軸受筒２３は、外枠(枠体)２１の適当な位置に設けられ、その内部に軸棒５１(ワイヤ、チェーン、ベルト或いはロープのいずれかの構造も採用できる)で構成された伝動部品、複数個の軸受５２、モータ５４及び各種適当な固定手段５３で構成された伝動構造５を設けて、ブラケット３及び外側保護カバー４に接続するワイヤ２８を制御することで、外側保護カバー４及び内枠が第一、第二スライダ２４、２５上で昇降或いは押出の運動を押進する。
【００１６】
ブラケット３は、適当な薄型ディスプレイ７(例えばプラズマテレビ、フラットテレビ或いは液晶ディスプレイなど、後記の実施例図に示す)を載置するために供され、その底面が台座の第二スライダ２５に相対する位置にそれぞれ並列対応した第二スライドレール３１を設ける。
【００１７】
外側保護カバー４は、台座をカバーできる蓋体とすることで、台座２及び台座２上に装設するブラケット３及びその薄型ディスプレイ７（後記の実施例図のとおり）を保護し、その両側の側面パネル４１には台座２の第一スライダ２４内に挿入できる第一スライドレール４２を設け、その上縁面は絵画６のように適当な芸術品を飾ることができ、該外側保護カバー４の側面パネル４１は折畳できる構造とし、側面パネル４１の適当な位置にヒンジ装置４１１を具え、該ヒンジ装置４１１を介して折り畳んで圧縮する目的を実現できるため、收納或いは運搬時にその体積を折り畳んで圧縮することができ、該外側保護カバー４の上縁面を内部に略凹陥させて、直接埋め込み或いは係合などの適当な方法で絵画６のように適当な芸術品を嵌め込むことができ、これにより該収納ラックを壁上に掛けた時に周囲の内装、家具などの全体的デザインと融合させることするで、美観及び快適性の目的を実現する。また例えば該外側保護カバー４の上縁面の面縁或いは周縁に吊りフックを設置し、装飾として適当な芸術品を掛けることができることは、別種の同目的を実現する方法であり、その実施方法が非常に多いため、ここに図面で一つ一つ示さない。
【００１８】
前記の組合せを介することで、その組立後の外観を図２に示すように、薄型ディスプレイをその中に隠蔽收納することができ、その外観における視覚は、壁掛け芸術品装飾であり、テレビを観賞したい時、薄型ディスプレイを載置するブラケット３は、伝動機構５の牽引制御を受けて既設された方向に押出され、本考案の数個の好ましい実施方法において、本考案が起動した後、該薄型ディスプレイを載置したブラケット３が下に向かって押出すことで、薄型ディスプレイを収納ラック１外に押出し、該外側保護カバー４は同時に伝動機構５の牽引控制を受けて上に上昇することで、上下開閉動作を行うことができ、收納したい時に更に薄型ディスプレイを載置したブラケット３及び上部保護カバー４を所定位置に復帰し、該外側保護カバー４及びブラケット３は、それぞれ台座２に設けた第一、第二スライダ２４、２５内と結合し、伝動構造５の導引及びワイヤ２８の牽引を受けて、多くの実施可能な押出及び收納動作を達することができる。審査委員の皆様に本考案の特徴を明確に理解していただくため、下記に好ましい実施例で示す。
【００１９】
図３、４を同時に見ると、本考案を收納した時の折畳見取図であり、図に示すように、該外側保護カバー４の側面パネル４１には数段の折畳点４１２を設け、各折畳点箇所にそれぞれヒンジ装置４１１を設け、該ヒンジ装置４１１を介することで、收納或いは運搬する時のその体積を折畳圧縮できることは、従来の技術であるため、ここでは別途記述しない。
【００２０】
下記は、本考案の数種類の好ましい実施例を図面で示したもので、本考案で達成できる実施方法を更に明確にする。
図５から図７を同時に見ると、本考案の第一種の好ましい実施例の伝動構造及び牽引部品の配線断面見取図及びその立体動作見取図であり、該デザインラック１Ａは螺着或いは吊下式で壁面上に固定され、該外側保護カバー４Ａの上縁面は絵画６を飾ることで、該収納ラック１Ａを壁上に掛けた時に周囲内装、家具などの全体的デザインに融合することができ、図６で示すような美観的で快適な視覚を示すことができ、外側保護カバー４Ａの両側の側面パネル上に設けた第一スライドレール４２Ａを台座の第一スライダ２４Ａを挿入することで、台座及び台座上に装設したブラケット３Ａ及びその薄型ディスプレイ７が収納状態を呈した時、外力を受けても損壊し難くなるようカバーされると共に保護される。この実施例は、該収納ラック１Ａを起動させた後、薄型ディスプレイ７を載置したブラケット３Ａが伝動機構５の牽引制御を受けて下に向かって押出されることで、薄型ディスプレイ７が収納ラック１Ａ外に押出され、該外側保護カバー４Ａが固定して動かなくなることで下開け、下閉めの動作を示し、收納したい時に薄型ディスプレイ７を載置したブラケット３Ａを上昇させて所定位置に復帰させることで、図６に示すような外観を呈す。また前記の動作方法を実現するため、その伝動構造及び牽引部品の配線方法を図５に示すように、この実施例は主にブラケット３Ａが下に向かって開閉動作を行うことで実現し、且つ外側保護カバー４Ａを固定させて動かないようにすることで、ワイヤ２８Ａ、２９Ａ(牽引部品)を両側の外側保護カバー４Ａの側面パネル上にふ設しないで、該ワイヤ一２８Ａの一端を押進部品のホルダー５１１上に固定し、他端を横向き或いは縦向きに固設されたロープ車２７Ａの導引を経ながら、ブラケット３Ａの一側穿通部品３２Ａ内にふ設して固定し、別の１本のワイヤ二２９の一端も押進部品のホルダー５１１上に固定し、他端も横向き或いは縦向きに固設されたロープ車２７Ａの導引を経ながら、ブラケット３Ａの一側穿通部品３２Ａ内にふ設して固定し、動作時、軸棒５１をモータ５４で駆動させると一定方向(例えば該収納ラック１Ａを起動した時、軸棒５１が図面の右側に向かって回転、收納時には逆方向の左側に向かって回転する)に回転し、該押進部品のホルダー５１１を可動的に軸棒５１上に螺設して、軸棒５１がモータ５４の駆動を受けて左右に向かって回転する時、押進部品のホルダー５１１は軸棒５１においても左右移動してワイヤ一２８Ａ、ワイヤ二２８Ｂの引き締め或いは緩めることで、ブラケット３Ａを収納ラック１Ａ外に押出(図６に示すとおり)及び所定位置に復帰収納(図７に示すとおり)の動作を行う。
【００２１】
図８から図１０を同時に見ると、本考案の第二種好ましい実施例である伝動構造及び牽引部品の配線剖面見取図及びその立体動作見取図であり、該デザインラック１Ｂも螺着或いは吊下式で壁面上に固定し、その構造特徴が前実施例の通りであるので、ここで再び述べない。この実施例は該収納ラック１Ｂを起動した後、薄型ディスプレイ７を載置するブラケット３Ｂを下に向かって押出すことで、薄型ディスプレイ７を収納ラック１Ｂ外に押出し、該外側保護カバー４Ｂは同時に伝動機構５の牽引控制を受けて上に上昇することで、上下開閉動作を行うことができ、收納したい時、更に薄型ディスプレイ７を載置したブラケット３Ｂ及び上部保護カバー４Ｂを所定位置に復帰させると、図９に示すような外観を呈する。前記の動作方法を達するため、その伝動構造及び牽引部品の配線方法を図８に示し、この実施例は主にブラケット３Ｂを下に向かって開閉させると、外側保護カバー４Ｂが上に向かって開閉させる動作を示すため、そのワイヤ一２８Ｂ、ワイヤ二２８１Ｂ、ワイヤ三２９Ｂ、ワイヤ四２９１Ｂをそれぞれブラケット３Ｂ及び外側保護カバー４Ｂの穿通部品３２Ｂ、４３Ｂ内にふ設し、該ワイヤ一２８Ｂの一端を押進部品のホルダー５１１上に固定し、他端を横向き或いは縦向きに固設されたロープ車２７Ｂの導引を経ながら、ブラケット３Ｂの一側穿通部品３２Ｂ内にふ設して固定し、別の１本のワイヤ二２８１Ｂの一端も押進部品のホルダー５１１上に固定し、他端も横向き或いは縦向きに固設されたロープ車２７Ｂの導引を経ながら、ブラケット３Ｂの一側穿通部品３２Ｂ内にふ設して固定するとブラケット３Ｂの牽引配線を完了し、また、該ワイヤ三２９Ｂの一端を押進部品のホルダー５１１上に固定し、他端を横向き或いは縦向きに固設されたロープ車２７Ｂの導引を経ながら、外側保護カバー４Ｂの一側穿通部品４３Ｂ内にふ設して固定し、別の１本のワイヤ四２９１Ｂの一端も押進部品のホルダー５１１上に固定し、他端も横向き或いは縦向きに固設されたロープ車２７Ｂの導引を経ながら、外側保護カバー４Ｂの他側穿通部品４３Ｂ内にふ設して固定すると外側保護カバー４Ｂの牽引配線が完了する。動作時、軸棒５１をモータ５４で駆動させると一定方向(例えば該収納ラック１Ｂを起動した時、軸棒５１が図面の右側に向かって回転、收納時には逆方向の左側に向かって回転する)に回転し、該押進部品のホルダー５１１を可動的に軸棒５１上に螺設して、軸棒５１がモータ５４の駆動を受けて左右に向かって回転する時、押進部品のホルダー５１１は軸棒５１においても左右移動してワイヤ一２８Ｂ、ワイヤ二２８１Ｂ、ワイヤ三２９Ｂ、ワイヤ四２９１Ｂの引き締め或いは緩めることで、ブラケット３Ｂを下に向かって収納ラック１Ａ外に押出し、且つ外側保護カバー４Ｂを上に向かって収納ラック１Ｂ外(図９に示すとおり)に押出し、及び所定位置への復帰収納(図１０に示すとおり)動作を行う。
【００２２】
前記は、本考案を説明するためのみ好ましい実施例であり、本考案の実施範囲はこれに限定されることが無く、本考案の実用新案登録請求の範囲内に捉われることなく各種の変化と修飾を行うことにより、この変化と修飾もまた本考案の特許範囲の意図した保護範囲に属するものとする。
【００２３】
前記をまとめると、本考案で提供する薄型ディスプレイを隠蔽するデザインラックは、新規性で且つ進歩性を具えた創作となっているため、これにより実用新案権登録の法定要件を満たしているので法律に則って書類を提出して出願する。審査委員の皆様の詳細なる審査を受け、一日も早く登録していただくよう切に願います。
【図面の簡単な説明】
【００２４】
【図１】本考案の立体分解図である。
【図２】本考案の立体外観図である。
【図３】本考案の収納時の折畳の第１の見取図である。
【図４】本考案の収納時の折畳の第２の見取図である。
【図５】本考案の第一種の好ましい実施例の伝動構造及び牽引部品の配線断面の見取図である。
【図６】本考案の第一種の好ましい実施例の第１の立体動作見取図である。
【図７】本考案の第一種の好ましい実施例の第２の立体動作見取図である。
【図８】本考案の第二種の好ましい実施例の伝動構造及び牽引部品の配線断面の見取図である。
【図９】本考案の第二種の好ましい実施例の第１の立体動作見取図である。
【図１０】本考案の第二種の好ましい実施例の第２の立体動作見取図である。
【符号の説明】
【００２５】
１  デザインラック
１Ａ  デザインラック
２  台座
２４Ａ 第一スライダ
２１  外枠(枠体)
２７Ａ ロープ車
２２１ ネジ孔
２８Ａ ワイヤ一
２２  構造用角形鋼管
２９Ａ ワイヤ二
２３  軸受筒
３Ａ  ブラケット
２４  第一スライダ
３２Ａ 牽引部品
２４１ 鋼球
４Ａ  外側保護カバー
２５  第二スライダ
４２Ａ 第一スライドレール
２５１ 鋼球
４３Ａ 牽引部品
２６  ロープ車ホルダー
１Ｂ  デザインラック
２７  ロープ車
２４Ｂ 第一スライダ
２８  ワイヤ
２７Ｂ ロープ車
３  ブラケット
２８Ｂ ワイヤ一
３１  第二スライドレール
２８１Ｂ ワイヤ二
３２  穿通部品
２９Ｂ ワイヤ三
４  外側保護カバー
２９１Ｂ ワイヤ四
４１  側面パネル
３Ｂ  ブラケット
４１１ ヒンジ装置
３２Ｂ 牽引部品
４１２ 折畳点
４Ｂ  外側保護カバー
４２  第一スライドレール       
４２Ｂ 第一スライドレール
４３  穿通部品
４３Ｂ 牽引部品
５  伝動構造
５１  軸棒
５１１ 押進部品のホルダー
５２  軸受
５３  固定手段
５４  モータ
６  絵画
７  薄型ディスプレイ
【図１】
0003120298.tif 000003
【図２】
0003120298.tif 000004
【図３】
0003120298.tif 000005
【図４】
0003120298.tif 000006
【図５】
0003120298.tif 000007
【図６】
0003120298.tif 000008
【図７】
0003120298.tif 000009
【図８】
0003120298.tif 000010
【図９】
0003120298.tif 000011
【図１０】
0003120298.tif 000012